(57)【要約】【課題】風呂装置において、ポンプの駆動力の個体差に従った態様で、浴槽における水の有無を判断できるようにすること。【解決手段】段階１では、ポンプに基準電圧値Ｖｉで特定される電圧が供給される。ポンプの回転数が判断用回転数Ｒ０より低い場合、基準電圧値Ｖｉは補正されない。ポンプの回転数が判断用回転数Ｒ０以上である場合、段階２で、基準電圧値Ｖｉが補正される。段階２では、ポンプに供給される電圧値が段階的に上昇されて、ポンプの回転数が基準値Ｒｔ−ｒ以上になる出力値が特定される。判断用出力値Ｖｓを用いて、基準電圧値Ｖｉが補正される。【選択図】図６
2018054143.tif 000002
【特許請求の範囲】
【請求項１】
浴槽内の湯水を追い焚き用熱交換器を経由して循環させる追い焚き循環回路と、
当該追い焚き循環回路に設けられた風呂ポンプと、
前記風呂ポンプに基準駆動力が供給されたときの前記風呂ポンプの回転数が基準回転数以上である場合に前記追い焚き循環回路の通水が無いと判断するように構成された判断手段とを備え、
前記判断手段は、
前記風呂ポンプに前記基準駆動力が供給されたときに前記風呂ポンプの回転数が前記基準回転数より低い判断用回転数を超えた場合に、当該風呂ポンプの回転数が前記基準回転数以上となる判断用駆動力を特定し、
当該判断用駆動力を用いて、前記基準駆動力を補正するように構成されている、風呂装置。
【請求項２】
浴槽内の湯水を追い焚き用熱交換器を経由して循環させる追い焚き循環回路と、
当該追い焚き循環回路に設けられた風呂ポンプと、
前記風呂ポンプに基準駆動力が供給されたときの前記風呂ポンプの回転数が予め定められた範囲内である場合に前記追い焚き循環回路の通水が無いと判断するように構成された判断手段とを備え、
前記判断手段は、
前記風呂ポンプに前記基準駆動力が供給されたときに前記風呂ポンプの回転数が前記範囲外であって当該範囲より低い判断用回転数を超えた場合に、当該風呂ポンプの回転数が前記範囲内となる判断用駆動力を特定し、
当該判断用駆動力を用いて、前記基準駆動力を補正するように構成されている、風呂装置。
【請求項３】
前記判断手段は、
前記判断用駆動力として、第１の判断用駆動力と第２の判断用駆動力とを特定し、
前記第１の判断用駆動力と前記第２の判断用駆動力の平均値を補正後の前記基準駆動力として設定するように構成されている、請求項１または請求項２に記載の風呂装置。
【請求項４】
前記判断手段は、前記基準駆動力の補正を実行した後は、当該補正後の前記基準駆動力を用いて、前記追い焚き循環回路の通水の有無を判断するように構成されている、請求項１〜請求項３のいずれか１項に記載の風呂装置。
【請求項５】
前記判断手段は、前記風呂ポンプに供給される駆動力を段階的に変化させながら、前記判断用駆動力を特定するように構成されている、請求項１〜請求項４のいずれか１項に記載の風呂装置。
【発明の詳細な説明】
【技術分野】
【０００１】
この発明は、風呂装置に関し、特に、追い焚き回路に設けられたポンプの負荷に基づいて浴槽における水の有無を判断するように構成された風呂装置に関する。
【背景技術】
【０００２】
従来、追い焚き回路に設けられたポンプの挙動に基づいて、浴槽における水の有無を判断するように構成された風呂装置が種々提案されている。たとえば、特開２０１１−１５８１４５号公報（特許文献１）および特許第５５３４３２６号公報（特許文献２）は、ポンプに一定の大きさの動力を供給したときの当該ポンプの回転数に基づいて、追い焚き回路における通水の有無を判断し、当該判断の結果に基づいて浴槽における水の有無を判断する、風呂装置を開示している。
【先行技術文献】
【特許文献】
【０００３】
【特許文献１】特開２０１１−１５８１４５号公報
【特許文献２】特許第５５３４３２６号公報
【発明の概要】
【発明が解決しようとする課題】
【０００４】
複数のポンプのそれぞれの挙動の間には、ポンプの駆動力の個体差による相違が存在する場合がある。しかしながら、従来の風呂装置において、浴槽における水の有無の判断のための基準（回転数）は、ポンプの駆動力の個体差を考慮することなく設定されていた。ポンプの駆動力の個体差を考慮して基準を設定することにより、より正確に上記判断が実行されることが望まれている。
【０００５】
本開示は、かかる実情に鑑み考え出されたものであり、その目的は、風呂装置において、ポンプの駆動力の個体差に従った態様で、浴槽における水の有無を判断できるようにすることである。
【課題を解決するための手段】
【０００６】
本開示のある局面に従うと、浴槽内の湯水を追い焚き用熱交換器を経由して循環させる追い焚き循環回路と、当該追い焚き循環回路に設けられた風呂ポンプと、風呂ポンプに基準駆動力が供給されたときの風呂ポンプの回転数が基準回転数以上である場合に追い焚き循環回路の通水が無いと判断するように構成された判断手段とを備えた風呂装置が提供される。判断手段は、風呂ポンプに基準駆動力が供給されたときに風呂ポンプの回転数が基準回転数より低い判断用回転数を超えた場合に、当該風呂ポンプの回転数が基準回転数以上となる判断用駆動力を特定し、当該判断用駆動力を用いて、基準駆動力を補正するように構成されている。
【０００７】
本開示の他の局面に従うと、浴槽内の湯水を追い焚き用熱交換器を経由して循環させる追い焚き循環回路と、当該追い焚き循環回路に設けられた風呂ポンプと、風呂ポンプに基準駆動力が供給されたときの風呂ポンプの回転数が予め定められた範囲内である場合に追い焚き循環回路の通水が無いと判断するように構成された判断手段とを備えた風呂装置が提供される。判断手段は、風呂ポンプに基準駆動力が供給されたときに風呂ポンプの回転数が範囲外であって当該範囲より低い判断用回転数を超えた場合に、当該風呂ポンプの回転数が範囲内となる判断用駆動力を特定し、当該判断用駆動力を用いて、基準駆動力を補正するように構成されている。
【０００８】
好ましくは、判断手段は、判断用駆動力として、第１の判断用駆動力と第２の判断用駆動力とを特定し、第１の判断用駆動力と第２の判断用駆動力の平均値を補正後の基準駆動力として設定するように構成されている。
【０００９】
好ましくは、判断手段は、基準駆動力の補正を実行した後は、当該補正後の基準駆動力を用いて、追い焚き循環回路の通水の有無を判断するように構成されている。
【００１０】
好ましくは、判断手段は、風呂ポンプに供給される駆動力を段階的に変化させながら、判断用駆動力を特定するように構成されている。
【発明の効果】
【００１１】
本開示によれば、追い焚き回路の通水が無い状態で風呂ポンプが基準駆動力が供給されたときに当該風呂ポンプの回転数が基準回転数に満たない場合であっても、当該風呂ポンプの回転数が基準回転数となるような判断用駆動力を用いて基準駆動力が補正される。これにより、風呂ポンプに駆動力の個体差があっても、追い焚き回路の通水が無い状態が風呂ポンプの回転数に基づいて特定され得る。
【図面の簡単な説明】
【００１２】
【図１】本開示の風呂装置の一例であるふろ給湯装置の概略ブロック図である。
【図２】ふろ給湯装置１のコントローラの概略構成図である。
【図３】ポンプ（１）についての、ポンプへの駆動電力の出力値（電圧値）とポンプの回転数の関係の一例を示す図である。
【図４】ポンプ（２）についての、ポンプへの駆動電力の出力値（電圧値）とポンプの回転数の関係の一例を示す図である。
【図５】本開示における、ポンプの駆動力の個体差に基づいた基準出力値の補正を説明するための図である。
【図６】本開示における出力値の補正の概念を説明するための図である。
【図７】基準出力値の補正御ための処理の流れの一例を示すための図である。
【図８】本開示における、ポンプの駆動力の個体差に基づいた基準出力値の補正を説明するための図である。
【発明を実施するための形態】
【００１３】
以下、図面を参照しつつ、風呂装置の実施の形態について説明する。以下の説明では、同一の部品および構成要素には同一の符号を付してある。それらの名称および機能も同じである。したがって、これらについての詳細な説明は繰り返さない。
【００１４】
［風呂装置の概略的な構成］
図１は、本開示の風呂装置の一例であるふろ給湯装置１の概略ブロック図である。図１を参照して、ふろ給湯装置１は、筐体１ａ内において、熱交換器３２と、燃焼バーナ３０と、ファン３１と、水道水等を給水するための給水路に相当する入水管５０と、バイパス管６０と、出湯管７０と、ふろ給湯装置１の各部（弁、センサ、ポンプ等）を制御および監視するための制御部に相当するコントローラ１００とを備える。燃焼バーナ３０は、熱交換器を加熱するための加熱部の一例である。加熱部は、熱交換器を加熱することができればよく、バーナに限定されない。
【００１５】
ふろ給湯装置１は、当該ふろ給湯装置１の各要素の動作を制御するためのコントローラ（後述する図２のコントローラ１００）を備える。コントローラの制御部（後述する図２のＣＰＵ１０１）は、たとえば追い焚きを指示された場合に、浴槽８における水の有無を判断する。当該指示が入力された場合に、浴槽８において水があると判断すると、追い焚き動作を実行する。ＣＰＵ１０１は、当該指示が入力された場合に、浴槽８において水が無いと判断すると、追い焚き動作を実行しない。この場合、ＣＰＵ１０１は、注湯動作を実行してもよい。
【００１６】
図１に戻って、給水路に相当する入水管５０および出湯管７０の間にはバイパス管６０が配置される。入水管５０には、バイパス管６０への分流を制御するための分配弁８０が介挿接続される。さらに、入水管５０には、入水サーミスタ１１０および流量センサ１５０が配置される。入水サーミスタ１１０は、給水路の入水温度、すなわち水道水の温度を検出する。分配弁８０の開度に応じて、給水量の一部が入水管５０からバイパス管６０へ分流される。
【００１７】
燃焼バーナ３０の燃焼運転により熱交換器３２は加熱される。入水管５０内の水は、熱交換器３２で加熱される。所定温度まで加熱された湯は、出湯管７０から出湯される。出湯管７０は、合流点７５においてバイパス管６０と接続される。したがって、出湯管７０からの高温湯、および、バイパス管６０からの水を混合し、操作部１０４において設定された湯が、台所や浴室等の給湯栓１９０および浴槽８を含む給湯箇所に供給される。
【００１８】
給湯路に相当する出湯管７０には、給湯流量を制御するための流量調整弁９０および温度センサ１３０が設けられる。温度センサ１３０は、バイパス管６０からの水が混合された後の出湯温度を検出する。
【００１９】
また、流量調整弁９０の下流側に、浴槽８への注湯（湯の供給）のための注湯電磁弁１３２が設けられる。
【００２０】
［循環回路］
図１のふろ給湯装置１は、循環回路を備える。循環回路は、浴槽８内に設けられた吸込口から熱交換器を経由して浴槽８内に設けられた吐出口へ至るように形成されている。具体的には、循環回路には、図中の矢印“ふろ戻り”で示す戻り回路および矢印“ふろ往き”で示す往き回路が設けられる。戻り回路の上流端（すなわち、浴槽８側）は、浴槽８に設置された循環アダプタ８１の吸込側に接続される。また、往き回路の下流端（すなわち、浴槽８側）は、循環アダプタ８１の吐出側に接続される。循環回路の戻り回路には、配管内の水温を測定するふろ戻り温度サーミスタ３４が設けられる。ふろ戻り温度サーミスタ３４は浴槽８から戻り回路に入水する浴槽水の温度を測定する。また、往き回路には、浴槽８内に出湯される水温を測定するふろ往き温度サーミスタ３６が設けられる。
【００２１】
浴槽８の水（または湯）が上記の循環回路を介して循環するようポンプ３３が作動すると、浴槽８からの浴槽水は、循環アダプタ８１の吸込口から、ふろ戻り配管および熱交換器、ならびに、ふろ往き配管を経由して、循環アダプタ８１の吐出口８６へ至る経路を循環する。これにより、浴槽８を含む循環回路内の水温を均一にすることができる。
【００２２】
［コントローラ１００の構成］
図２は、ふろ給湯装置１のコントローラ１００の概略構成図である。コントローラ１００は、ＣＰＵ（Central  Processing  Unit）１０１、ふろ給湯装置１内の各種の弁、各種のポンプなどに弁の開閉、またはポンプ駆動のための制御信号を送出するとともに、各種センサ（サーミスタ等の温度センサ、流量センサ等）からの検出信号を入力するためのインターフェイス１０３、操作部１０４、ふろ給湯装置１の運転に関する情報を出力する出力部１０５、タイマ１０６、および記憶装置１０２を含む。ＣＰＵ１０１は、タイマ１０６を用いることにより、計時機能を実現する。操作部１０４は、ふろ給湯装置１に対するユーザ操作（例えば、運転に関する指示入力の操作等）を受付けるためにスイッチ、ボタン等を含む。運転に関する指示は、浴槽８に湯張りする場合の湯量の設定値および／または温度の設定値を含む。
【００２３】
記憶装置１０２は、プログラムおよびデータを格納するための揮発性または不揮発性のメモリからなる。記憶装置１０２は、浴槽８における水の有無を検出するための基準値である基準駆動力（後述する基準電圧値Ｖｉ）を格納するための基準駆動力記憶部１０２１と、その他のデータを記憶するためのデータ記憶部１０２２とを含む。
【００２４】
図１をさらに参照して、コントローラ１００は、ふろ給湯装置１の運転開始スイッチがオン操作された状態で給湯栓１９０が開かれると、流量センサ１５０によって検出される流量が最低作動流量（ＭＯＱ）を超えるのに応じて、燃焼バーナ３０による燃焼動作をオンする。浴槽８への湯張りモードにおいて、ＣＰＵ１０１は、各種の弁（分配弁８０、流量調整弁９０、および注湯電磁弁１３２）を開弁制御する。これにより、浴槽８へ注湯が開始される。ＣＰＵ１０１は、流量センサの出力から浴槽８への注湯量を検出し、検出された注湯量と湯張り湯量とを比較し、比較の結果に基づき注湯運転を終了する。
【００２５】
ＣＰＵ１０１は、ふろ給湯装置１の運転モードに従って、ふろ給湯装置１の各部を制御する。例えば、保温モードである場合に当該条件が成立するときは、ＣＰＵ１０１は、浴槽８の湯温を設定温度に保つように各部を制御する。
【００２６】
ＣＰＵ１０１は、インターフェイス１０３を介して、電源回路３３０に、ポンプ３３への駆動電圧の供給を指示する。コントローラ１００は、ポンプ３３の回転数を検出するための回転検出部３３１を含む。
【００２７】
ＣＰＵ１０１は、たとえば、ポンプ３３に所定値の電圧が供給されたときのポンプ３３の回転数に基づいて、ふろ給湯装置１の循環回路における通水の有無を判断する。ＣＰＵ１０１は、当該判断の結果に応じて、浴槽８における水の有無を判断する。
【００２８】
一例では、ＣＰＵ１０１は、ポンプ３３に基準電圧値Ｖｉを供給したときのポンプ３３の回転数が基準範囲の下限値（後述する図３等における「回転数Ｒｔ−ｒ」）以上である場合、上記循環回路における通水が無いと判断し、これに応じて、浴槽８において水が無いと判断する。他の例では、ＣＰＵ１０１は、ポンプ３３に基準電圧値Ｖｉを供給したときのポンプ３３の回転数が基準範囲の下限値（回転数Ｒｔ−ｒ）未満である場合、上記循環回路における通水があると判断し、これに応じて、浴槽８において水があると判断する。
【００２９】
［ポンプの駆動力の個体差と回転数の関係］
次に、ポンプの駆動力の個体差による回転数の変化について説明する。以下の説明では、ポンプ３３として使用された２つのポンプのそれぞれを区別する場合、「ポンプ（１）」「ポンプ（２）」との記述が使用される。
【００３０】
図３は、ポンプ（１）についての、ポンプへの駆動電力の出力値（電圧値）とポンプの回転数の関係の一例を示す図である。図３において、線Ｌ１１は、浴槽８において水があるときの関係を示す。線Ｌ１２は、浴槽８において水が無いときの関係を示す。
【００３１】
線Ｌ１１および線Ｌ１２の双方によって示されるように、出力値が高くなるほどポンプ３３の回転数は上昇する。線Ｌ１１と比較すると、線Ｌ１２は、同じ出力値に対して高い回転数を示す。これは、浴槽８に水が無いとき（線Ｌ１２）には、浴槽８に水があるとき（線Ｌ１１）と比較して、水による負荷が存在しないことからによる。
【００３２】
図３の例において、ＣＰＵ１０１は、たとえば、予め定められた出力値Ｖｘにおいてポンプ３３の回転数が基準値Ｒｔ−ｒ以上であるか否かを判断する。ＣＰＵ１０１は、当該回転数が基準値Ｒｔ−ｒ以上であれば、浴槽８内に水が無いと判断する。ＣＰＵ１０１は、当該基準値が基準値Ｒｔ−ｒ未満であれば、浴槽８内に水があると判断する。
【００３３】
図４は、ポンプ（２）についての、ポンプへの駆動電力の出力値（電圧値）とポンプの回転数の関係の一例を示す図である。図４において、線Ｌ２１は、浴槽８において水があるときの関係を示す。線Ｌ２２は、浴槽８において水が無いときの関係を示す。
【００３４】
図４の線Ｌ２１および線Ｌ２２の双方によって示されるように、出力値が高くなるほどポンプ３３の回転数は上昇する。しかしながら、図３の線Ｌ１１と比較して、図４の線Ｌ２１は、全体的に、同じ出力値に対する回転数が低い。図３の線Ｌ１２と比較して、図４の線Ｌ２２は、全体的に、同じ出力値に対する回転数が低い。図４の線Ｌ２１および線Ｌ２２のいずれにおいても、出力値Ｖｘに対するポンプ３３の回転数が基準値Ｒｔ−ｒを超えていない。
【００３５】
したがって、ポンプ３３としてポンプ（２）が採用された場合、出力値Ｖｘおよび基準値Ｒｔ−ｒを用いても、浴槽８における水の有無が判断できない場合があり得る。
【００３６】
［ポンプの駆動力の個体差に基づいた基準出力値の補正］
図５は、本開示における、ポンプ３３の駆動力の個体差に基づいた基準出力値の補正を説明するための図である。図５には、図４と同様に、ポンプ（２）についての線Ｌ２１，Ｌ２２が示されている。
【００３７】
図５では、図４における出力値Ｖｘの代わりに、出力値Ｖｙが、浴槽８における水の有無が判断のための出力値として設定されている。図５によれば、出力値Ｖｙで特定される電力がポンプ３３に供給されると、線Ｌ２１では回転数が基準値Ｒｔ−ｒを下回るが、線Ｌ２２では回転数は基準値Ｒｔ−ｒに到達している。すなわち、図５に示された例では、出力値Ｖｙと基準値Ｒｔ−ｒを用いることにより、ポンプ（２）の回転数に基づく浴槽８における水の有無の判断が可能となる。
【００３８】
本開示によれば、主に図３および図４を参照して説明されたように、複数のポンプ３３の間に駆動力の個体差がある場合でも、主に図４および図５を参照して説明されたように、判断用のポンプ３３への出力値を変更することにより、ポンプ３３を用いた浴槽８における水の有無の判断を可能にする。
【００３９】
［出力値の補正の態様］
図５を参照して説明されたように、本開示では、基準電圧値を変更する。当該変更の一例は、判断用の出力値（たとえば、電圧値）のデフォルト値を補正することである。他の例は、補正後の出力値をさらに補正することである。図６は、本開示における出力値の補正の概念を説明するための図である。図６には、当該補正についての２つの段階（段階１および段階２）が示されている。
【００４０】
段階１では、ポンプ３３に基準電圧値Ｖｉで特定される電圧が供給される。基準電圧値Ｖｉは、判断用の電圧のデフォルト値、または、当該デフォルト値が補正された値である。ＣＰＵ１０１は、そのときのポンプ３３の回転数が、予め定められた回転数（判断用回転数Ｒ０）以上であるか否かに基づいて、浴槽８の状態を区分けする。判断用回転数Ｒ０は、判断用の回転数（基準値Ｒｔ−ｒ）より低い。
【００４１】
ＣＰＵ１０１は、ポンプ３３の回転数が判断用回転数Ｒ０より低い場合には、基準電圧値Ｖｉを補正しない。ＣＰＵ１０１は、ポンプ３３の回転数が判断用回転数Ｒ０以上である場合には、基準電圧値Ｖｉを補正する。図６の例では、ポンプ３３の挙動が線Ｌ２１に従う場合、基準電圧値Ｖｉは補正されない。ポンプ３３の挙動が線Ｌ２２に従う場合、基準電圧値Ｖｉは補正される。
【００４２】
段階２で、ＣＰＵ１０１は、基準電圧値Ｖｉを補正する。より具体的には、ＣＰＵ１０１は、ポンプ３３に供給される電圧値を段階的に上昇させることにより、ポンプ３３の回転数が基準値Ｒｔ−ｒ以上になる出力値を特定する。図６の段階２では、特定された出力値が判断用出力値Ｖｓとして示されている。
【００４３】
ＣＰＵ１０１は、判断用出力値Ｖｓを用いて、基準電圧値Ｖｉを補正する。一例では、ＣＰＵ１０１は、判断用出力値Ｖｓによって基準電圧値Ｖｉを置換する。他の例では、ＣＰＵ１０１は、段階２のような判断用出力値Ｖｓを複数回特定し、得られた複数個の判断用出力値Ｖｓの平均値によって基準電圧値Ｖｉを置換する。
【００４４】
［基準出力値の補正のための処理の流れ］
図７は、基準出力値の補正御ための処理の流れの一例を示すための図である。図７の処理は、たとえば、操作部１０４（図２）における風呂運転ボタンまたはテスト用のボタンを操作されることによって開始される。
【００４５】
図７を参照して、ステップＳ１００で、ＣＰＵ１０１は、ポンプ３３への電圧の出力を開始する。出力値は、基準電圧値Ｖｉである。その後、制御はステップＳ１１０へ進む。
【００４６】
ステップＳ１１０で、ＣＰＵ１０１は、ポンプ３３の回転数が判断用回転数Ｒ０以上であるか否かを判断する。ポンプ３３の回転数が判断用回転数Ｒ０以上であれば、ＣＰＵ１０１はステップＳ１２０へ制御を進める。ポンプ３３の回転数が判断用回転数Ｒ０未満であれば、ＣＰＵ１０１は図７の処理を終了させる。
【００４７】
ステップＳ１２０で、ＣＰＵ１０１は、ポンプ３３の回転数が第１基準値Ｒｔ−ｒから第２基準値Ｒｔ＋ｒの範囲に含まれるか否かを判断する。第１基準値Ｒｔ−ｒは、図３等に示されるように、基準値Ｒｔから所定値ｒが差し引かれた値である。第２基準値Ｒｔ＋ｒは、基準値Ｒｔに所定値ｒを足し合わせた値である。ＣＰＵ１０１は、ポンプ３３の回転数が上記範囲に含まれていないと判断すると、ステップＳ１３０へ制御を進める。ＣＰＵ１０１は、ポンプ３３の回転数が上記範囲に含まれると判断すると、ステップＳ１４０へ制御を進める。
【００４８】
ステップＳ１３０で、ＣＰＵ１０１は、ポンプ３３に出力される電圧値を所定値（△Ｖ）だけ変更した後、ステップＳ１２０へ制御を戻す。
【００４９】
ステップＳ１２０においてポンプ３３の回転数が第１基準値Ｒｔ−ｒより小さいと判断された場合、ステップＳ１３０で、ＣＰＵ１０１は、ポンプ３３に出力される電圧値を上記所定値上昇させる。ステップＳ１２０においてポンプ３３の回転数が第２基準値Ｒｔ＋ｒより大きいと判断された場合、ステップＳ１３０で、ＣＰＵ１０１は、ポンプ３３に出力される電圧値を上記所定値下降させる。
【００５０】
ステップＳ１２０およびステップＳ１３０の制御により、ポンプ３３に出力される電圧値は段階的に変更される。ポンプ３３の回転数が上記範囲（第１基準値Ｒｔ−ｒから第２基準値Ｒｔ＋ｒ）内に到達すると、ＣＰＵ１０１は、ステップＳ１４０へ制御を進める。
【００５１】
ステップＳ１４０で、ＣＰＵ１０１は、その時点でポンプ３３に出力されている電圧値（判断用出力値Ｖｓ（Ｎ））をデータ記憶部１０２２に格納する。その後、制御はステップＳ１５０へ進む。数値Ｎは、図７の処理において使用される整数の変数であり、図７の処理が実行された回数を表わす。ふろ給湯装置１において、数値Ｎの初期値は「１」である。数値Ｎは、後述するステップＳ１７０において１加算更新される。
【００５２】
ステップＳ１５０で、ＣＰＵ１０１は、数値Ｎの現在の値が２以上であるか否かを判断する。ＣＰＵ１０１は、数値Ｎの値が２以上であると判断するとステップＳ１６０へ制御を進め、数値Ｎの値が１以下であると判断すると図７の処理を終了させる。
【００５３】
ステップＳ１６０で、ＣＰＵ１０１は、図７の式（１）に従って、基準電圧値Ｖｉの値を更新する。式（１）は、判断用出力値Ｖｓ（Ｎ）と判断用出力値Ｖｓ（Ｎ−１）を用いて、更新後の基準電圧値Ｖｉを算出する。更新後の基準電圧値Ｖｉが式（１）に従って算出されることにより、基準電圧値Ｖｉは、数値Ｎを考慮された、判断用出力値Ｖｓ（Ｎ）と判断用出力値Ｖｓ（Ｎ−１）の加重平均値として算出される。その後、制御はステップＳ１７０へ進む。
【００５４】
ステップＳ１７０で、ＣＰＵ１０１は、数値Ｎの値を１加算更新した後、図７の処理を終了させる。
【００５５】
以上説明された図７の処理では、たとえば、図７の処理が１回行なわれると、判断用出力値Ｖｓ（１）が格納される。基準電圧値Ｖｉの補正（更新）は実行されない。数値Ｎの値が「１」だからである。２回目の処理において、ステップＳ１４０で判断用出力値Ｖｓ（２）が格納された後、基準電圧値Ｖｉが補正される。当該補正では、１回目の処理で得られた判断用出力値Ｖｓ（１）と、２回目の処理で得られた判断用出力値Ｖｓ（２）とが、式（１）に従って利用される。３回目以降の処理では、判断用出力値Ｖｓ（Ｎ）と判断用出力値Ｖｓ（Ｎ−１）とが式（１）に従って利用されることによって、基準電圧値Ｖｉが補正される。
【００５６】
本開示に従ったふろ給湯装置１では、図４および図５に示されるように、基準電圧値Ｖｘが、浴槽８における水の有無の判断に適した値へと補正される。すなわち、図４に示されるように、線Ｌ２２において、基準電圧値Ｖｘが対応する値が第１基準値Ｒｔ−ｒより小さい場合、基準電圧値Ｖｘは、ステップＳ１３０で段階的に上昇された電圧値を用いて補正される。これにより、基準電圧値Ｖｘは、図５に示されるように基準電圧値Ｖｙに補正される。ポンプ３３の駆動力が比較的低い場合であっても、基準電圧値が高くなるように補正されることによって、浴槽８における水の有無が当該基準電圧値を用いて判断され得る。すなわち、ポンプ３３の駆動力の個体差が基準電圧値の補正によってカバーされ得る。
【００５７】
本開示に従ったふろ給湯装置１では、図３および図８に示されるように、基準電圧値Ｖｘが、浴槽８における水の有無の判断に適した値に補正される。すなわち、図３に示されるように、線Ｌ１２において、基準電圧値Ｖｘが対応する値が第２基準値Ｒｔ＋ｒより大きい場合、基準電圧値Ｖｘは、ステップＳ１３０で段階的に下降された電圧値を用いて補正される。これにより、基準電圧値Ｖｘは、図８に示されるように基準電圧値Ｖｚに補正される。ポンプ３３の駆動力が比較的高い場合であっても、基準電圧値が低くなるように補正されることによって、浴槽８における水の有無が当該基準電圧値を用いて判断され得る。すなわち、ポンプ３３の駆動力の個体差が基準電圧値の補正によってカバーされ得る。
【００５８】
以上説明された実施の形態のある局面では、ＣＰＵ１０１は、風呂ポンプに基準駆動力（基準電圧値Ｖｉ）が供給されたときの風呂ポンプの回転数が基準回転数（基準値Ｒｔ−ｒ）以上である場合に追い焚き循環回路の通水が無いと判断するように構成された判断手段の一例である。
【００５９】
以上説明された実施の形態の他の局面では、ＣＰＵ１０１は、風呂ポンプに基準駆動力（基準電圧値Ｖｉ）が供給されたときの風呂ポンプの回転数が予め定められた範囲（基準値Ｒｔ−ｒから基準値Ｒｔ＋ｒ）内にある場合に追い焚き循環回路の通水が無いと判断するように構成された判断手段の一例である。この例において、ＣＰＵ１０１は、風呂ポンプの回転数が上記範囲より低い場合に、追い焚き循環回路の通水があると判断してもよい。
【００６０】
判断手段は、風呂ポンプに基準駆動力が供給されたときに風呂ポンプの回転数が判断用回転数（判断用回転数Ｒ０）を超えた場合に、当該風呂ポンプの回転数が基準回転数以上となる判断用駆動力（判断用出力値Ｖｓ）を特定し、当該判断用駆動力を用いて、基準駆動力を補正するように構成されている。
【００６１】
判断用回転数（判断用回転数Ｒ０）は、基準回転数（基準値Ｒｔ−ｒ）より低い、判断用回転数の一例である。
【００６２】
判断用回転数（判断用回転数Ｒ０）は、風呂ポンプの回転数について予め定められた範囲（基準値Ｒｔ−ｒから基準値Ｒｔ＋ｒ）外であって当該範囲より低い、判断用回転数の一例である。
【００６３】
判断手段は、判断用駆動力として、第１の判断用駆動力（判断用出力値Ｖｓ（１））と第２の判断用駆動力（判断用出力値Ｖｓ（２））とを特定してもよい。判断手段は、第１の判断用駆動力と第２の判断用駆動力の平均値を補正後の基準駆動力として設定するように構成されていてもよい。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６５】
１  ふろ給湯装置、８  浴槽、３０  燃焼バーナ、３１  ファン、３２  熱交換器、３３  ポンプ、１００  コントローラ、１０１  ＣＰＵ、１０２  記憶装置、１０３  インターフェイス、１０４  操作部、３３０  電源回路、３３１  回転検出部、１０２１  基準駆動力記憶部、１０２２  データ記憶部。
【図１】
2018054143.tif 000003
【図２】
2018054143.tif 000004
【図３】
2018054143.tif 000005
【図４】
2018054143.tif 000006
【図５】
2018054143.tif 000007
【図６】
2018054143.tif 000008
【図７】
2018054143.tif 000009
【図８】
2018054143.tif 000010